(57)【特許請求の範囲】
【請求項１】
住宅の外壁となる壁体に、外装材を前記壁体から所定幅離間して取り付けるための取付金具において、前記壁体に取り付けられる壁体取付部と、前記壁体取付部に設けられ、前記壁体から所定幅離間して前記外装材を取り付ける外装材取付部と、前記壁体取付部に設けられ、隣接する他の取付金具の壁体取付部に重ねることが出来る重ね部と、を備え、
前記壁体取付部と前記重ね部には、それぞれ穴部が設けられ、前記各穴部は、前記壁体取付部と前記重ね部とが重なった状態で、少なくとも釘或いはビスを打ち込める程度に前記穴部同士が重なる位置に設けられていることを特徴とする取付金具。
【請求項２】
住宅の外壁となる壁体に、外装材を前記壁体から所定幅離間して取り付けるための取付金具において、前記壁体に取り付けられる壁体取付部と、前記壁体取付部に設けられ、前記壁体から所定幅離間して前記外装材を取り付ける外装材取付部と、前記壁体取付部に設けられ、隣接する他の取付金具の壁体取付部に重ねることが出来る重ね部と、を備え、
前記壁体取付部は、前記壁体に当接して固定される底面部と、該底面部の側端部から垂直に立ち上がった２つの側面部と、を有し、前記外装材取付部は、前記両側面部の幅方向先端部からそれぞれ水平に突出して２つ設けられていることを特徴とする取付金具。
【請求項３】
住宅の外壁となる壁体に、外装材を前記壁体から所定幅離間して取り付けるための取付金具において、前記壁体に取り付けられる壁体取付部と、前記壁体取付部に設けられ、前記壁体から所定幅離間して前記外装材を取り付ける外装材取付部と、前記壁体取付部に設けられ、隣接する他の取付金具の壁体取付部に重ねることが出来る重ね部と、を備え、
前記壁体取付部と前記重ね部には、それぞれ穴部が設けられ、前記各穴部は、前記壁体取付部と前記重ね部とが重なった状態で、少なくとも釘或いはビスを打ち込める程度に前記穴部同士が重なる位置に設けられ、
前記壁体取付部は、前記壁体に当接して固定される底面部と、該底面部の側端部から垂直に立ち上がった２つの側面部と、を有し、前記外装材取付部は、前記両側面部の幅方向先端部からそれぞれ水平に突出して２つ設けられていることを特徴とする取付金具。
【請求項４】
住宅の外壁となる壁体に、外装材を前記壁体から所定幅離間して取り付けるための取付金具を用いて壁体に外装材を取り付ける外装材取付方法において、
前記取付金具は、前記壁体に取り付けられる壁体取付部と、前記壁体取付部に設けられ、前記壁体から所定幅離間して前記外装材を取り付ける外装材取付部と、前記壁体取付部に設けられ、隣接する他の取付金具の壁体取付部に重ねることが出来る重ね部と、を備え、
前記外装材の左右の側縁部の裏面に、前記取付金具を縦方向に所定の間隔で、且つ、前記壁体取付部の少なくとも一部が前記外装材の側縁部よりも外側に位置するように取り付け、一の外装材に取り付けられた取付金具の前記壁体取付部と隣接する他の一の外装材に取り付けられた取付金具の前記重ね部とを連結させて外装材連結体を形成させ、前記外装材連結体を前記壁体に取り付けることを特徴とする外装材取付方法。
【発明の詳細な説明】
【０００１】
【発明の属する技術分野】
本発明は、外装材を住宅の壁体に取り付けるための取付金具、及びこの取付金具を用いた外装材取付方法に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより、住宅を構築するといったパネル工法が一部に採用されている。このようなパネル工法に用いられるパネルとして、例えば、図９に示すような壁パネルが知られている。
【０００３】
図９に示す壁パネル１００は、縦框材１０１，１０１と横框材１０２，１０２とが矩形状に組み立てられるとともに、この矩形枠の内部に補強芯材１０３…が縦横に組まれて枠体１０４が形成され、さらにこの枠体１０４内にグラスウール等の断熱材（図示省略）が充填された状態で枠体１０４の表裏面に合板等の面材１０５，１０５が貼設されたものである。
外壁用の壁パネルでは、更に、前記面材１０５，１０５に胴縁を取り付け、その上に外装材を取り付けていた。
しかし、胴縁は、所定の厚みを有する細板状の木材であるが、近年、安価に入手することが困難になっている。そこで、胴縁を使用しないで取付金具により外装材を取り付ける方法も知られている（例えば、特開平１０−３０６５０９号に開示されている）。
【０００４】
前記取付金具を用いた外装材の取付方法としては、例えば、図１０に示すような取付方法がある。
図１０において、外壁１１０の外面に縦方向に長いジョイナー１１１…を所定の間隔で取り付けた後、外装材１１２を下から上へ横貼りで取り付け、この際、取付金具１１３を所定の間隔に配置させて外装材１１２を取り付ける。即ち、取付金具１１３は、例えば、鉄板を抜き打ち、及び折曲加工したものからなり、下側の外装材１１２の端面部と係合する下係合部（図示省略）と、上側の外装材１１２の端面部と係合して支持する上係合部（図示省略）を有している。
そして、この取付金具１１３の下係合部を下側の外装材１１２の端面部に設けられた被係合部に係合させた状態で外壁１１０に取付金具１１３を固定し、更に、次の外装材１１２を該外装材１１２の下側端面部に設けられた被係合部と前記取付金具１１３の上係合部に係合させる。このような工程を繰り返すことにより、外装材１１２を壁の上端まで取り付けていた。
【０００５】
【発明が解決しようとする課題】
しかしながら、上記従来の取付方法では、現場で一枚一枚外装材を取り付けなければならないので、現場での作業負荷がかかっていた。
また、上記従来の外装材の取付方法では、取付金具と外装材が係合しているので、中間の外装材が破損した場合の外装材の取り替えも容易ではなかった。
【０００６】
本発明は上記問題点を解決するためにされたものであって、現場での外装材の取付、補修作業の効率化を図ることが可能な取付金具、及びこの取付金具を用いて現場での取付作業効率を向上させた外装材の取付方法を提供することを目的とする。
【０００７】
【課題を解決するための手段】
上記課題を解決するため、
請求項１記載の発明は、例えば、図１〜８に示すように、住宅の外壁となる壁体２に、外装材３を前記壁体２から所定幅離間して取り付けるための取付金具１において、前記壁体２に取り付けられる壁体取付部１１と、前記壁体取付部１１に設けられ、前記壁体２から所定幅離間して前記外装材３を取り付ける外装材取付部１２と、前記壁体取付部１１に設けられ、隣接する他の取付金具１の壁体取付部１１に重ねることが出来る重ね部１３と、を備え、
前記壁体取付部１１と前記重ね部１３には、それぞれ穴部１１ｃ、１３ａが設けられ、前記各穴部１１ｃ、１３ａは、前記壁体取付部１１と前記重ね部１３とが重なった状態で、少なくとも釘或いはビス１５を打ち込める程度に前記穴部１１ｃ、１３ａ同士が重なる位置に設けられていることを特徴としている。
【０００８】
請求項１記載の発明の発明によれば、取付金具１の壁体取付部１１が壁体２に取り付けられ、外装材取付部１２によって外装材３が壁体２から所定幅離間して取り付けられ、重ね部１３と隣接する取付金具１の壁体取付部１１とが重ねられるので、この重ね部１３と隣接する壁体取付部１１とが重ねられた状態で壁体２に取り付けることが出来ることとなって、２つの取付金具１、即ち、２つの外装材３を同時に壁体２に固定することが出来て現場作業効率を向上させることが出来る。また、予め、重ね部１３と隣接する壁体取付部１１とを連結させることによって外装材３、３同士を連結させることが出来ることとなって、外装材３を連結させたものを壁体２に取り付けることが出来て現場での外装材取付作業の作業効率性を向上させることが出来る。即ち、この取付金具１を用いて外装材３、３同士を予め連結しておくことが出来るので、従来の外装材取付作業のように、外装材３を１枚１枚壁体に取り付ける必要がなく、複数の外装材３、３を同時に壁体２に取り付けることが出来ることとなって、現場での作業効率が向上する。また、外装材３を取付後、補修が必要になった場合でも隣接する取付金具１の重ね部１３と壁体取付部１１との連結を外せば、容易に外装材３の交換作業を行うことが出来る。加えて、この取付金具１を使用すれば、外装材３と壁体２とが離間することとなるので、胴縁が不要となる。
また、壁体取付部１１と重ね部１３に各々設けられた穴部１１ｃ、１３ａは、壁体取付部１１と重ね部１３とが重なった状態で、少なくとも釘或いはビス１５が打ち込める程度に穴部１１ｃ、１３ａ同士が重なる位置に設けられているので、その重ねられた穴部１４（例えば、重ね合わせ穴部）に上方から釘或いはビス等を打ち付けることが出来ることとなって、取付金具１１同士の連結および壁体２への取付が容易となる。
ここで、穴部１１ｃ、１３ａの形状は、円形のものであってもよいし、或いは縦長の穴であってもよい。
【０００９】
ここで、取付金具１の外装材３への取付は、予め、工場で艤装してもよいし、現場で取り付けてもよい。
本発明が適用される壁体２は、例えば、在来工法によって構築されたものであってもよいし、２×４工法やパネル工法によって構築された壁体であってもよい。
外装材３及び壁体２への取付金具１の取付は、ビス１５や釘打ち、或いは接着剤を用いてもよい。
【００１０】
請求項２記載の発明は、例えば、図１〜８に示すように、住宅の外壁となる壁体２に、外装材３を前記壁体２から所定幅離間して取り付けるための取付金具１において、前記壁体２に取り付けられる壁体取付部１１と、前記壁体取付部１１に設けられ、前記壁体２から所定幅離間して前記外装材３を取り付ける外装材取付部１２と、前記壁体取付部１１に設けられ、隣接する他の取付金具１の壁体取付部１１に重ねることが出来る重ね部１３と、を備え、
前記壁体取付部１１は、前記壁体２に当接して固定される底面部１１ａと、該底面部１１ａの側端部から垂直に立ち上がった２つの側面部１１ｂ、１１ｂと、を有し、前記外装材取付部１２は、前記両側面部１１ｂ、１１ｂの幅方向先端部からそれぞれ水平に突出して２つ設けられていることを特徴としている。
【００１１】
請求項２記載の発明の発明によれば、取付金具１の壁体取付部１１が壁体２に取り付けられ、外装材取付部１２によって外装材３が壁体２から所定幅離間して取り付けられ、重ね部１３と隣接する取付金具１の壁体取付部１１とが重ねられるので、この重ね部１３と隣接する壁体取付部１１とが重ねられた状態で壁体２に取り付けることが出来ることとなって、２つの取付金具１、即ち、２つの外装材３を同時に壁体２に固定することが出来て現場作業効率を向上させることが出来る。また、予め、重ね部１３と隣接する壁体取付部１１とを連結させることによって外装材３、３同士を連結させることが出来ることとなって、外装材３を連結させたものを壁体２に取り付けることが出来て現場での外装材取付作業の作業効率性を向上させることが出来る。即ち、この取付金具１を用いて外装材３、３同士を予め連結しておくことが出来るので、従来の外装材取付作業のように、外装材３を１枚１枚壁体に取り付ける必要がなく、複数の外装材３、３を同時に壁体２に取り付けることが出来ることとなって、現場での作業効率が向上する。また、外装材３を取付後、補修が必要になった場合でも隣接する取付金具１の重ね部１３と壁体取付部１１との連結を外せば、容易に外装材３の交換作業を行うことが出来る。加えて、この取付金具１を使用すれば、外装材３と壁体２とが離間することとなるので、胴縁が不要となる。
外装材取付部１２が壁体取付部１１の両側面部１１ｂ、１１ｂの幅方向先端部からそれぞれ水平に突出して２つ設けられているので、外装材３の左側縁部３ａと右側縁部３ｂの両方に取り付けることが出来ることとなって、取付金具１を取り付ける際、左側縁部３ａ用或いは右側縁部３ｂ用の２つを別個に用意する必要がなく取付作業上の煩雑さがないとともに、コスト上及び在庫管理上も好ましいものとなる。
【００１２】
請求項３記載の発明は、例えば、図１〜８に示すように、住宅の外壁となる壁体２に、外装材３を前記壁体２から所定幅離間して取り付けるための取付金具１において、前記壁体２に取り付けられる壁体取付部１１と、前記壁体取付部１１に設けられ、前記壁体２から所定幅離間して前記外装材３を取り付ける外装材取付部１２と、前記壁体取付部１１に設けられ、隣接する他の取付金具１の壁体取付部１１に重ねることが出来る重ね部１３と、を備え、
前記壁体取付部１１と前記重ね部１３には、それぞれ穴部１１ｃ、１３ａが設けられ、前記各穴部１１ｃ、１３ａは、前記壁体取付部１１と前記重ね部１３とが重なった状態で、少なくとも釘或いはビス１５を打ち込める程度に前記穴部１１ｃ、１３ａ同士が重なる位置に設けられ
前記壁体取付部１１は、前記壁体２に当接して固定される底面部１１ａと、該底面部１１ａの側端部から垂直に立ち上がった２つの側面部１１ｂ、１１ｂと、を有し、前記外装材取付部１２は、前記両側面部１１ｂ、１１ｂの幅方向先端部からそれぞれ水平に突出して２つ設けられていることを特徴としている。
【００１３】
請求項３記載の発明の発明によれば、取付金具１の壁体取付部１１が壁体２に取り付けられ、外装材取付部１２によって外装材３が壁体２から所定幅離間して取り付けられ、重ね部１３と隣接する取付金具１の壁体取付部１１とが重ねられるので、この重ね部１３と隣接する壁体取付部１１とが重ねられた状態で壁体２に取り付けることが出来ることとなって、２つの取付金具１、即ち、２つの外装材３を同時に壁体２に固定することが出来て現場作業効率を向上させることが出来る。また、予め、重ね部１３と隣接する壁体取付部１１とを連結させることによって外装材３、３同士を連結させることが出来ることとなって、外装材３を連結させたものを壁体２に取り付けることが出来て現場での外装材取付作業の作業効率性を向上させることが出来る。即ち、この取付金具１を用いて外装材３、３同士を予め連結しておくことが出来るので、従来の外装材取付作業のように、外装材３を１枚１枚壁体に取り付ける必要がなく、複数の外装材３、３を同時に壁体２に取り付けることが出来ることとなって、現場での作業効率が向上する。また、外装材３を取付後、補修が必要になった場合でも隣接する取付金具１の重ね部１３と壁体取付部１１との連結を外せば、容易に外装材３の交換作業を行うことが出来る。加えて、この取付金具１を使用すれば、外装材３と壁体２とが離間することとなるので、胴縁が不要となる。
また、壁体取付部１１と重ね部１３に各々設けられた穴部１１ｃ、１３ａは、壁体取付部１１と重ね部１３とが重なった状態で、少なくとも釘或いはビス１５が打ち込める程度に穴部１１ｃ、１３ａ同士が重なる位置に設けられているので、その重ねられた穴部１４（例えば、重ね合わせ穴部）に上方から釘或いはビス等を打ち付けることが出来ることとなって、取付金具１１同士の連結および壁体２への取付が容易となる。
外装材取付部１２が壁体取付部１１の両側面部１１ｂ、１１ｂの幅方向先端部からそれぞれ水平に突出して２つ設けられているので、外装材３の左側縁部３ａと右側縁部３ｂの両方に取り付けることが出来ることとなって、取付金具１を取り付ける際、左側縁部３ａ用或いは右側縁部３ｂ用の２つを別個に用意する必要がなく取付作業上の煩雑さがないとともに、コスト上及び在庫管理上も好ましいものとなる。
【００１８】
請求項４記載の発明は、例えば、図１〜８に示すように、住宅の外壁となる壁体２に、外装材３を前記壁体２から所定幅離間して取り付けるための取付金具１を用いて壁体２に外装材３を取り付ける外装材取付方法において、前記壁体２に取り付けられる壁体取付部１１と、前記壁体取付部１１に設けられ、前記壁体２から所定幅離間して前記外装材３を取り付ける外装材取付部１２と、前記壁体取付部１１に設けられ、隣接する他の取付金具１の壁体取付部１１に重ねることが出来る重ね部１３と、を備え、前記外装材３の左右の側縁部３ａ、３ｂの裏面に、前記取付金具１を縦方向に所定の間隔で、且つ、前記壁体取付部１１の少なくとも一部が前記外装材３の側縁部３ａ、３ｂよりも外側に位置するように取り付け、一の外装材３に取り付けられた取付金具１の前記壁体取付部１１と隣接する他の一の外装材３に取り付けられた取付金具１の前記重ね部１３とを連結させて外装材連結体１０を形成させ、前記外装材連結体１０を前記壁体２に取り付けることを特徴としている。
【００１９】
請求項４記載の発明によれば、外装材３の左右の側縁部３ａ、３ｂの裏面に、取付金具１が縦方向に所定の間隔で、且つ、壁体取付部１１の少なくとも一部が外装材３の側縁部３ａ、３ｂよりも外側に位置するように取り付けられ、一の外装材３に取り付けられた取付金具１の壁体取付部１１と隣接する他の一の外装材３に取り付けられた取付金具１の重ね部１３とが連結されて外装材連結体１０が形成され、外装材連結体１０が壁体２に取り付けられるので、外装材３を１枚１枚壁体２に取り付ける必要がなく、現場での作業効率が向上する。
【００２０】
【発明の実施の形態】
以下、図を参照して本発明に係る取付金具、この取付金具を用いて構築した外壁構造およびこの取付金具を用いた外装材の取付方法の実施の形態について詳細に説明する。
図１は、本発明に係る取付金具の外観斜視図であり、図２は、同取付金具の平面図、図３は、同正面図、図４は同右側面図である。また、図５は、同取付金具を用いて外装材を壁体に取り付けた状態を示す斜視図であり、図６は、同取付金具を用いて外装材を壁体に取り付けた状態を示す横断面図である。
図１〜６に示す取付金具１は、住宅の外壁となる壁体２に、外装材３を前記壁体２から所定幅離間して取り付けるための取付金具である。
【００２１】
前記取付金具１は、前記壁体２に取り付けられる壁体取付部１１と、前記壁体取付部１１に設けられ、前記壁体２から所定幅離間して前記外装材３を取り付ける外装材取付部１２と、前記壁体取付部１１に設けられ、隣接する他の取付金具１の壁体取付部１１に重ねることが出来る重ね部１３と、を備えている。
前記壁体取付部１１は、横断面コ字状体をなし、壁体２と当接して固定される底面部１１ａと、底面部１１ａの側端部から垂直に立ち上がった２つの側面部１１ｂ、１１ｂと、を有している。
前記底面部１１ａには、円形の穴部１１ｃが設けられている。また、前記底面部１１ａの幅方向端部の一方に、前記重ね部１３が前記底面部１１ａの厚さ分だけ浮いた状態で取り付けられている。
【００２２】
前記重ね部１３は、他の取付金具１の底面部１１ａの上面に当接して重ねられる。また、前記重ね部１３は、所定の位置に長さ方向に縦長の縦長穴部１３ａが設けられている。
そして、図７に示すように、前記壁体取付部１１の底面部１１ａに設けられた穴部１１ｃと、前記重ね部１３に設けられた縦長穴部１３ａは、前記壁体取付部１１と前記重ね部１３とが重なった状態で、釘或いはビスを打ち込める程度の重ね合わせ穴部１４（重ね合わせ部）を形成するような位置にそれぞれ設けられている。
【００２３】
前記外装材取付部１２は、前記壁体取付部１１の前記両側面部１１ｂ、１１ｂの幅方向先端部からそれぞれ水平に突出して形成された板状体であり、壁体取付部１１を挟んで左右に２つ設けられている。また、前記各外装材取付部１２には、外装材３と固定するためのビス穴１２ａがそれぞれ設けられている。
従って、この取付金具１は、外装材３の左側縁部３ａと右側縁部３ｂの両方に取り付けることが出来ることとなって、取付金具１を取り付ける際、左側縁部３ａ用或いは右側縁部３ｂ用の２つを別個に用意する必要がなく取付作業上の煩雑さがないとともに、コスト上及び在庫管理上も好ましいものとなる。
より具体的に説明すると、外装材３の左側縁部３ａ側に取り付けたい場合には、左側の外装材取付部１２を利用して外装材３に取り付け、一方、外装材３の右側縁部３ａ側に取り付けたい場合には、右側の外装材取付部１２を利用して外装材３に取り付けることが出来る。
【００２４】
前記壁体２は、例えば、縦框材２ａ、２ａと横框材２ｂとが矩形状に組み立てられるとともに、この矩形枠の内部に補強芯材（図示省略）が縦横に組まれて枠体が形成され、さらにこの枠体内にグラスウール等の断熱材（図示省略）が充填された状態で枠体の表裏面に合板等の面材２ｃ、２ｄが貼設されたパネルから構成されている。
前記面材２ｃ、２ｄのうち、室外側の面材２ｃには、図示しない防水シートが貼設された後、取付金具１…を介して、外装材３…が取り付けられている。
【００２５】
前記外装材３は、例えば、防火性を有する窯業サイディングなどにより出来ていて、側端面部３ｃには、断面凹状の溝部３ｄが形成されている。
【００２６】
続いて、前記取付金具１を用いて構築した外壁構造について説明する。
前記外装材３の左右の側縁部３ａ、３ｂの裏面に、前記取付金具１が縦方向に所定の間隔で、且つ前記壁体取付部１１の少なくとも一部が前記外装材３の側縁部３ａ、３ｂよりも外側に位置するように取り付けられている。
そして、取付金具１が取り付けられた隣接する外装材３のうち、一の外装材３の側端部３ｂの裏面に取り付けられた取付金具１の前記壁体取付部１１と、隣接する他の一の外装材３の側縁部３ａの裏面に取り付けられた取付金具１の前記重ね部１３とが重ね合わさり、前記壁体取付部１１の底面部１１ａに設けられた穴部１１ｃと、前記重ね部１３に設けられた縦長穴部１３ａとが重なって形成された重ね合わせ部１４に、ビス１５を打ち込むことにより固定されている。
従って、重ね合わせ部１４に上方から釘或いはビス１５を打ち付けることが出来るので、現場での作業が容易となる。
【００２７】
また、隣接する前記外装材３，３の側縁部３ａ、３ｂ間には、所定の隙間間隔を有する目地部４が形成され、該目地部４には、ポリエチレン等の樹脂からなる発泡性部材５が挿入され、その上に、目地材６が、外装材３の側端面部３ｃの溝部３ｄに内側に入り込んで取り付けられている。
なお、目地材と発泡性部材は、一体物でもかまわない。
前記発泡性部材５は、外方に向かって押圧する力を有し、目地部４の厚みを調節することと、下側から前記目地材６を押圧して目地材６の密着性を高める役割をしている。この発泡性部材としては、例えば、ＥＰＤＭ、ゴム、ウレタンなどを用いる。
【００２８】
前記目地材６は、頭部６ａ及び先端部６ｂに、それぞれフィン部６１、６２が設けられ、内部には、補強用と防火性確保のため鉄製の補強用材６３が挿入され、外部はポリエチレン樹脂で覆われている。そして、前記溝部３ｄに前記目地材６の頭部６ａのフィン部６１が差し込まれている。これにより、目地部４の見栄えがよくなるとともに、目地部４の防水を図ることが出来る。また、先端部６ｂのフィン部６２は、弾性変形して外装材３と密着することにより、更に目地部４の防水性の向上が図られている。
【００２９】
次に、上記外壁構造における外装材の取付作業動作について説明する。
まず、予め、外装材３の側縁部３ａに、取付金具１…を左右互い違いに所定間隔で取り付ける。次いで、底面部１１ａを接着剤等で仮止め（必ずしも必要ない）し、次いで、次なる外装材３に取り付けられた取付金具１の重ね部１３が前記外装材３に取り付けられた取付金具１の壁体取付部１１と重なるように取り付け、前記壁体取付部１１の穴部１１ｃと重ね部１３の縦長穴部１３ａの重なった部分に形成された重ね合わせ穴部１４にビス１５を打ち込む。
続いて、外装材３の側縁部３ａ、３ｂの間に形成された目地部４に発泡性部材５を挿入した後、前記目地材６を前記外装材３の側端面部３ｃに形成された溝部３ｄに嵌合させる。
そして、上記作業を繰り返して行うことにより、壁体２に外装材３を取り付ける。
【００３０】
また、上記外装材の取付作業においては、予め外装材３を左右の側縁部３ａ、３ｂの裏面に、前記取付金具１を縦方向に所定の間隔で、且つ、前記壁体取付部１１の少なくとも一部が前記外装材３の側縁部３ａ、３ｂよりも外側に位置するように取り付け、一の外装材３の前記壁体取付部１１と隣接する他の一の外装材３の前記重ね部１３とを連結させて外装材連結体１０（図８参照）を形成させ、前記外装材連結体１０を前記壁体２に取り付けてもよい。このようにすれば、外装材３を１枚１枚壁体２に取り付ける必要がなく、現場での作業効率が向上する。
【００３１】
次に、外装材３の交換作業について説明する。
まず、交換しようとする当該外装材３の左右の目地部４の目地材６を外し、発泡性材５を除去した後、ビス１５止めを外す。この状態で、外装材３を左右どちらかに寄せる。次いで、目地部５の隙間が広がった方の外装材３の側縁部３ａを上に持ち上げて、外装材３を引き抜くことにより外装材３を壁体２から外すことが出来る。また同様に、今度は、逆の動作により新しい外装材３を入れることが出来る。即ち、予め、所定位置に取付金具１が取り付けられた外装材３を差し入れる。
【００３２】
次いで、当該外装材３に取り付けられた取付金具１の重ね部１３が隣接する外装材３に取り付けられた取付金具１の壁体取付部１１と重なるように取り付け、前記壁体取付部１１の穴部１１ｃと重ね部１３の縦長穴部１３ａの重なった部分に形成された重ね合わせ穴部１４にビス１５を打ち込む。
続いて、外装材３を左右に動かして、目地部４の隙間間隔を調整した後、該目地部４に発泡性部材５を挿入して、目地材６を挿入する。
【００３３】
以上説明した本発明に係る取付金具１によれば、取付金具１の壁体取付部１１によって取付金具１が壁体２に取り付けられ、外装材取付部１２によって外装材３が壁体２から所定幅離間して取り付けられ、重ね部１３と隣接する他の取付金具１の壁体取付部１１とが重ねられるので、この重ね部１３と隣接する壁体取付部１１とが重ねられた状態で壁体２に取り付けることが出来ることとなって、２つの取付金具１を同時に壁体に固定することが出来て現場作業効率を向上させることが出来る。
【００３４】
また、予め、重ね部１３と隣接する壁体取付部１１とを連結させて外装材連結体１０を形成させることによって、外装材３を一枚一枚壁体２に取り付ける必要がなく現場での外装材取付作業の作業効率性を向上させることが出来る。
また、外装材３を取付後、補修が必要になった場合でも隣接する取付金具１の重ね部１３と壁体取付部１１との連結を解除すれば、容易に外装材３の交換作業を行うことが出来る。
加えて、この取付金具１を使用すれば、外装材３と壁体２とが離間することとなるので、胴縁が不要となる。
なお、外装材連結体１０は、予め工場で製造してもよいし、現場で製造した後、壁体２に取り付けてもよい。
【００３５】
【発明の効果】
請求項１記載の発明の発明によれば、取付金具の壁体取付部によって壁体が取り付けられ、外装材取付部によって外装材が壁体から所定幅離間して取り付けられ、重ね部と隣接する取付金具の壁体取付部とが重ねられるので、この重ね部と隣接する壁体取付部とが重ねられた状態で壁体に取り付けることが出来ることとなって、２つの取付金具を同時に壁体に固定することが出来て現場作業効率を向上させることが出来る。また、予め、重ね部と隣接する壁体取付部とを連結させることによって外装材同士を連結させることが出来ることとなって、外装材を連結させたものを壁体に取り付けることが出来て現場での外装材取付作業の作業効率性を向上させることが出来る。即ち、この取付金具を用いて外装材同士を予め連結しておくことが出来るので、従来の外装材取付作業のように、外装材を１枚１枚壁体に取り付ける必要がなく、複数の外装材を同時に壁体に取り付けることが出来ることとなって、現場での作業効率が向上する。また、外装材を取付後、補修が必要になった場合でも隣接する取付金具の重ね部と壁体取付部との連結を解除すれば、容易に外装材の交換作業を行うことが出来る。加えて、この取付金具を使用すれば、外装材と壁体とが離間することとなるので、胴縁が不要となる。
壁体取付部と重ね部に各々設けられた穴部は、壁体取付部と重ね部とが重なった状態で、少なくとも釘或いはビスが打ち込める程度に穴部同士が重なる位置に設けられているので、その重ねられた穴部に上方から釘或いはビス等を打ち付けることが出来ることとなって、取付金具同士の連結および壁体への取付が容易となる。
【００３６】
請求項２記載の発明によれば、取付金具の壁体取付部によって壁体が取り付けられ、外装材取付部によって外装材が壁体から所定幅離間して取り付けられ、重ね部と隣接する取付金具の壁体取付部とが重ねられるので、この重ね部と隣接する壁体取付部とが重ねられた状態で壁体に取り付けることが出来ることとなって、２つの取付金具を同時に壁体に固定することが出来て現場作業効率を向上させることが出来る。また、予め、重ね部と隣接する壁体取付部とを連結させることによって外装材同士を連結させることが出来ることとなって、外装材を連結させたものを壁体に取り付けることが出来て現場での外装材取付作業の作業効率性を向上させることが出来る。即ち、この取付金具を用いて外装材同士を予め連結しておくことが出来るので、従来の外装材取付作業のように、外装材を１枚１枚壁体に取り付ける必要がなく、複数の外装材を同時に壁体に取り付けることが出来ることとなって、現場での作業効率が向上する。また、外装材を取付後、補修が必要になった場合でも隣接する取付金具の重ね部と壁体取付部との連結を解除すれば、容易に外装材の交換作業を行うことが出来る。加えて、この取付金具を使用すれば、外装材と壁体とが離間することとなるので、胴縁が不要となる。
外装材取付部が壁体取付部の両側面部の幅方向先端部からそれぞれ水平に突出して２つ設けられているので、外装材の右側縁部と左側縁部の両方に取り付けることが出来ることとなって、取付金具を取り付ける際、右側縁部用或いは左側縁部用の２つを別個に用意する必要がなく取付作業上の煩雑さがないとともに、コスト上及び在庫管理上も好ましいものとなる。
【００３７】
請求項３記載の発明によれば、取付金具の壁体取付部によって壁体が取り付けられ、外装材取付部によって外装材が壁体から所定幅離間して取り付けられ、重ね部と隣接する取付金具の壁体取付部とが重ねられるので、この重ね部と隣接する壁体取付部とが重ねられた状態で壁体に取り付けることが出来ることとなって、２つの取付金具を同時に壁体に固定することが出来て現場作業効率を向上させることが出来る。また、予め、重ね部と隣接する壁体取付部とを連結させることによって外装材同士を連結させることが出来ることとなって、外装材を連結させたものを壁体に取り付けることが出来て現場での外装材取付作業の作業効率性を向上させることが出来る。即ち、この取付金具を用いて外装材同士を予め連結しておくことが出来るので、従来の外装材取付作業のように、外装材を１枚１枚壁体に取り付ける必要がなく、複数の外装材を同時に壁体に取り付けることが出来ることとなって、現場での作業効率が向上する。また、外装材を取付後、補修が必要になった場合でも隣接する取付金具の重ね部と壁体取付部との連結を解除すれば、容易に外装材の交換作業を行うことが出来る。加えて、この取付金具を使用すれば、外装材と壁体とが離間することとなるので、胴縁が不要となる。
また、壁体取付部と重ね部に各々設けられた穴部は、壁体取付部と重ね部とが重なった状態で、少なくとも釘或いはビスが打ち込める程度に穴部同士が重なる位置に設けられているので、その重ねられた穴部に上方から釘或いはビス等を打ち付けることが出来ることとなって、取付金具同士の連結および壁体への取付が容易となる。
また、外装材取付部が壁体取付部の両側面部の幅方向先端部からそれぞれ水平に突出して２つ設けられているので、外装材の右側縁部と左側縁部の両方に取り付けることが出来ることとなって、取付金具を取り付ける際、右側縁部用或いは左側縁部用の２つを別個に用意する必要がなく取付作業上の煩雑さがないとともに、コスト上及び在庫管理上も好ましいものとなる。
【００４０】
請求項４記載の発明によれば、外装材の左右の側縁部の裏面に、取付金具が縦方向に所定の間隔で、且つ、壁体取付部の少なくとも一部が外装材の側縁部よりも外側に位置するように取り付けられ、一の外装材に取り付けられた取付金具の壁体取付部と隣接する他の一の外装材に取り付けられた取付金具の重ね部とが連結されて外装材連結体を形成され、外装材連結体が壁体に取り付けられるので、外装材を１枚１枚壁体に取り付ける必要がなく、現場での作業効率が向上する。
【図面の簡単な説明】
【図１】本発明に係る取付金具の外観斜視図である。
【図２】図１に示した取付金具の平面図である。
【図３】図１に示した取付金具の正面図である。
【図４】図１に示した取付金具の側面図である。
【図５】図１に示した取付金具を用いて外装材を壁体に取り付けた状態を示した斜視図である。
【図６】図１に示した取付金具を用いて外装材を壁体に取り付けた状態を示した横断面図である。
【図７】２つの取付金具の一方の壁体取付部に他方の重ね部を重ね合わせた状態を示した平面図である。
【図８】外装材連結体の平面図である。
【図９】壁パネルの構造を示した斜視図である。
【図１０】従来の取付金具を用いて外装材を取り付ける過程を示した住宅の要部の斜視図である。
【符号の説明】
１    取付金具
２    壁体
３    外装材
３ａ  側縁部
３ｂ  側縁部
１０    外装材連結体
１１    壁体取付部
１１ａ  底面部
１１ｂ  側面部
１１ｃ  穴部
１２    外装材取付部
１３    重ね部
１３ａ  縦長穴部
１４    重ね合わせ穴部（重ね合わせ部）
１５    ビス
【図１】
0004233673.tif 000002
【図２】
0004233673.tif 000003
【図３】
0004233673.tif 000004
【図４】
0004233673.tif 000005
【図５】
0004233673.tif 000006
【図６】
0004233673.tif 000007
【図７】
0004233673.tif 000008
【図８】
0004233673.tif 000009
【図９】
0004233673.tif 000010
【図１０】
0004233673.tif 000011